(57)【特許請求の範囲】
【請求項１】
略四角形状に形成した底板の全周に段部を有する側板を設けて基台を形成し、該基台に主幹ブレーカ、分岐ブレーカなどの機器を電気的に接続して配置すると共に、前記基台を蓋体で施蓋して構成される住宅用分電盤を壁材に設けた開口部に取付固定するための取着具であって、前記基台底板の四隅近傍にはボルト挿通孔と固定片調整ネジ挿通孔を穿設し、断面略Ｌ字状に形成し一方の端部に第一の支軸を、他方の端部に第二の支軸を夫々形成すると共にボルト挿通孔を穿設した調整片と、該調整片の第一の支軸を挿通する挿通部を形成し該挿通部に連設して前記基台の裏面に当接する取付金具支持片を形成すると共にボルト挿通孔と固定片調整ネジ挿通孔を穿設した取付金具と、前記調整片の第二の支軸を挿通する挿通部を形成し該挿通部に連設して一端を前記基台の側板の段部とで挟持した壁材に当接すると共に他端を前記基台の底板に穿設した固定片調整ネジ挿通孔と前記取付金具の固定片調整ネジ挿通孔に挿通した固定片調整ネジに当接する固定片とから構成し、前記調整片に穿設したボルト挿通孔と、前記取付金具の取付支持片に穿設したボルト挿通孔と、前記基台底板の四隅近傍に穿設したボルト挿通孔とを一致させて順にボルトを挿通し、ナットで締付けて壁材の開口部に取付固定することを特徴とする住宅用分電盤の取着具。
【発明の詳細な説明】
【０００１】
【産業上の利用分野】
本発明は、住宅用分電盤を壁材に開けた開口部に取付固定するための取着具に関する。
【０００２】
【従来の技術】
従来、住宅用分電盤を壁材に開けた開口部に取着固定するための取着具は、特開平６−３１５２１２号公報に記載のように、箱体（１）を押圧する第１押圧片（２６）と、第１押圧片（２６）に回動可能に保持されて壁材（４）を押圧する第２押圧片（２７）と、両押圧片（２６），（２７）を近接方向に移動させ得る締め付け手段（２８）とよりなる取着部材（２５）で挟持された状態で壁材（４）に取り付けていた。
【０００３】
【発明が解決しようとする課題】
しかしながら特開平６−３１５２１２号公報に記載の住宅用分電盤の取着具は、住宅用分電盤の側面に設けた開口部をもうけ、ここに取着具を取り付けなければならず、開口部を設ける作業に非常に手間が掛かると共に、分電盤を半埋込取付しようとした後に露出取付に変更する場合、住宅用分電盤の側面に設けた開口部が美感を損なうという欠点があった。
【０００４】
【課題を解決するための手段】
上記従来の住宅用分電盤の取着具の問題点に鑑み、本発明の目的は、取着具を使用する際に住宅用分電盤の基台等に加工や細工を必要とせず、作業現場で半埋込取付、露出取付の何れかを選択したり、途中変更が支障なくでき、而も美感を損なうことがない住宅用分電盤の取着具を提供するもので、略四角形状に形成した底板の全周に段部を有する側板を設けて基台を形成し、該基台に主幹ブレーカ、分岐ブレーカなどの機器を電気的に接続して配置すると共に、前記基台を蓋体で施蓋して構成される住宅用分電盤を壁材に設けた開口部に取付固定するための取着具であって、前記基台底板の四隅近傍にはボルト挿通孔と固定片調整ネジ挿通孔を穿設し、断面略Ｌ字状に形成し一方の端部に第一の支軸を、他方の端部に第二の支軸を夫々形成すると共にボルト挿通孔を穿設した調整片と、該調整片の第一の支軸を挿通する挿通部を形成し該挿通部に連設して前記基台の裏面に当接する取付金具支持片を形成すると共にボルト挿通孔と固定片調整ネジ挿通孔を穿設した取付金具と、前記調整片の第二の支軸を挿通する挿通部を形成し該挿通部に連設して一端を前記基台の側板の段部とで挟持した壁材に当接すると共に他端を前記基台の底板に穿設した固定片調整ネジ挿通孔と前記取付金具の固定片調整ネジ挿通孔に挿通した固定片調整ネジに当接する固定片とから構成し、前記調整片に穿設したボルト挿通孔と、前記取付金具の取付支持片に穿設したボルト挿通孔と、前記基台底板の四隅近傍に穿設したボルト挿通孔とを一致させて順にボルトを挿通し、ナットで締付けて壁材の開口部に取付固定することである。
【０００５】
【発明の実施の形態】
取着具を用いて住宅用分電盤を壁材に設けた開口部に取付固定するには、壁材の開口部に住宅用分電盤の基台を嵌入し、ボルトに取り付けたナットを押し込むことによって調整片と固定片を壁材奥まで押し込む。更に蝶ナットを締め付けると、固定片の端部が壁材Ｗの裏面に当接し、基台の側板の段部と固定片の端部とで挟持され、基台は壁材から脱落することなく支持される。更に基台の固定片調整ネジ挿通孔に挿通した固定片調整ネジを締め付けることにより固定片が固定され、基台に蓋体を施蓋することにより住宅用分電盤は壁材に取付固定される。また、固定片調整ネジの締め付け具合により異なる板厚の壁材にも支障なく対応できる。
【０００６】
【実施例】
本発明に係る住宅用分電盤の取着具の一実施例を図１〜図４に示す。以下これらの図面に基づいて本発明を説明する。
【０００７】
住宅用分電盤１は略四角形状に形成した底板２の全周に段部３を有する側板４を設けて基台５を形成し、この基台５に主幹ブレーカ、分岐ブレーカなどの機器を電気的に接続して配置すると共に、基台５を蓋体（図示せず）で施蓋して構成され、取着具６により壁材Ｗに設けた開口部に取付固定される。
【０００８】
取着具６は、断面略Ｌ字状に形成し一方の端部に第一の支軸９を、他方の端部に第二の支軸１０を夫々形成すると共にボルト挿通孔１１を穿設した調整片１２と、この調整片１２の第一の支軸９を挿通する挿通部１３を形成しこの挿通部１３に連設して基台５の裏面に当接する取付金具支持片１４を形成すると共にボルト挿通孔１５と固定片調整ネジ挿通孔１６を穿設した取付金具１７と、調整片１２の第二の支軸１０を挿通する挿通部１８を形成しこの挿通部１８に連設して一端を基台５の側板４の段部３とで挟持した壁材Ｗに当接すると共に他端を基台５の底板に穿設した固定片調整ネジ挿通孔８と前記取付金具１７の固定片調整ネジ挿通孔１６に挿通した固定片調整ネジ１９に当接する固定片２０とからなり、調整片１２に穿設したボルト挿通孔１１と、取付金具１７に穿設したボルト挿通孔１５と、基台５の底板四隅近傍に穿設したボルト挿通孔７とを一致させてボルト２２を順に挿通し、スペーサ２３を介して蝶ナット２４で締付けて壁材の開口部に取付固定される。
【０００９】
この取着具６を用いて住宅用分電盤１を壁材Ｗに設けた開口部に取付固定するには、壁材Ｗの開口部に住宅用分電盤１の基台５を嵌入し、ボルト２２にスペーサ２３を介して取り付けた蝶ナット２４を押し込むことによって調整片１２と固定片２０を壁材Ｗの奥まで押し込む。更に蝶ナット２４を締め付けると、固定片２０の端部が壁材Ｗの裏面に当接し、基台５の側板４の段部３と固定片２０の端部とで挟持され、基台５は壁材Ｗから脱落することなく支持される。更に基台５の固定片調整ネジ挿通孔７に挿通した固定片調整ネジ１９を締め付けることにより固定片２０が固定され、基台に蓋体を施蓋することにより住宅用分電盤１は壁材Ｗに取付固定される。図３及び図４に示すように、固定片調整ネジ１９の締め付け具合により異なる板厚の壁材Ｗにも支障なく対応できる。
【００１０】
尚、本実施例ではスペーサ２３を介してボルト２２に蝶ナット２４を取り付けたがこれに限定されるものではなく、スペーサを省略したり、蝶ナット２４の代わりにナットを用いても構わない。また取付金具１７を住宅用分電盤の基台に取り付ける構造はネジ等で締付固定する方式のほか、嵌め込み式等にしても何ら問題はない。
【００１１】
【発明の効果】
以上説明したように本発明に係る住宅用分電盤の取着具は、略四角形状に形成した底板の全周に段部を有する側板を設けて基台を形成し、該基台に主幹ブレーカ、分岐ブレーカなどの機器を電気的に接続して配置すると共に、前記基台を蓋体で施蓋して構成される住宅用分電盤を壁材に設けた開口部に取付固定するための取着具であって、前記基台底板の四隅近傍にはボルト挿通孔と固定片調整ネジ挿通孔を穿設し、取着具６は、断面略Ｌ字状に形成し一方の端部に第一の支軸を、他方の端部に第二の支軸を夫々形成すると共にボルト挿通孔を穿設した調整片と、この調整片の第一の支軸を挿通する挿通部を形成しこの挿通部に連設して基台の裏面に当接する取付金具支持片を形成すると共にボルト挿通孔と固定片調整ネジ挿通孔を穿設した取付金具と、調整片の第二の支軸を挿通する挿通部を形成しこの挿通部に連設して一端を基台の側板の段部とで挟持した壁材に当接すると共に他端を基台の底板に穿設した固定片調整ネジ挿通孔と前記取付金具の固定片調整ネジ挿通孔に挿通した固定片調整ネジに当接する固定片とからなり、調整片に穿設したボルト挿通孔と、取付金具に穿設したボルト挿通孔と、基台の底板四隅近傍に穿設したボルト挿通孔とを一致させてボルトを順に挿通し、スペーサを介して蝶ナットで締付けて壁材の開口部に取付固定したことによって、取着具を使用する際に住宅用分電盤の基台等に加工や細工を必要とせず、未熟者でも簡単に作業することができるという効果がある。また、作業現場で半埋込取付、露出取付の何れかを選択したり、途中変更が支障なくでき、而も美感を損なうことがないという効果がある。また、固定片調整ネジの締め付け具合により異なる板厚の壁材にも支障なく対応できるという効果がある。
【図面の簡単な説明】
【図１】本発明に係る住宅用分電盤の基台の裏面説明図である。
【図２】本発明に係る住宅用分電盤の取着具の組立説明図である。
【図３】本発明に係る住宅用分電盤の取着具を薄い壁材に用いた説明図である。
【図４】本発明に係る住宅用分電盤の取着具を厚い壁材に用いた説明図である。
【符号の説明】
１        住宅用分電盤
３        段部
５        基台
６        取着具
７        ボルト挿通孔
８        固定片調整ネジ挿通孔
１２        調整片
１７        取付金具
２０        固定片
２２        ボルト
２４        蝶ナット
【図１】
0003565405.tif 000002
【図２】
0003565405.tif 000003
【図３】
0003565405.tif 000004
【図４】
0003565405.tif 000005